(57)【要約】【課題】トレイに残留している汚水を確実に排水用タンクに回収することができる空気清浄装置を提供すること。【解決手段】本発明の空気清浄装置は、給水用タンク２０内の水の有無を検知する給水検知手段９２と、排水用タンク３０内の汚水の有無を検知する排水検知手段９３と、ポンプ７０の動作を制御する制御手段９４とを備え、制御手段９４が、給水検知手段９２によって水が有ることを検知し、かつ排水検知手段９３によって汚水が無いことを検知した場合にはポンプ７０を動作させ、排水検知手段９３によって汚水が所定量貯留されたことを検知した場合にはポンプ７０を停止することを特徴とする。【選択図】図３
2014039778.tif 000002
【特許請求の範囲】
【請求項１】
着脱可能な給水用タンクと、前記給水用タンク内の水が供給されるフィルタ部材と、前記給水用タンク内の前記水を前記フィルタ部材に導く供給水路を形成するトレイと、前記供給水路の前記水を電気分解する電極と、前記トレイに残留するスケールを含む汚水を汲み上げるポンプと、前記ポンプで汲み上げた前記汚水を貯留する排水用タンクとを筐体内に備えた空気清浄装置であって、前記給水用タンク内の前記水の有無を検知する給水検知手段と、前記排水用タンク内の前記汚水の有無を検知する排水検知手段と、前記ポンプの動作を制御する制御手段とを備え、前記制御手段が、前記給水検知手段によって前記水が有ることを検知し、かつ前記排水検知手段によって前記汚水が無いことを検知した場合には前記ポンプを動作させ、前記排水検知手段によって前記汚水が所定量貯留されたことを検知した場合には前記ポンプを停止することを特徴とする空気清浄装置。
【請求項２】
前記給水用タンク、前記フィルタ部材、前記トレイ、前記電極を有する電極ユニット、及び前記排水用タンクを着脱できる開閉扉を前記筐体に設け、前記開閉扉の開閉状態を検知する開閉検知手段を備え、前記開閉検知手段が前記開閉扉の閉状態を検知しない場合には、前記制御手段における前記ポンプの前記動作を行わないことを特徴とする請求項１に記載の空気清浄装置。
【請求項３】
前記給水用タンク、前記フィルタ部材、及び前記排水用タンクを前記トレイに着脱可能に載置し、前記供給水路が、前記給水用タンクの下方に位置する第１の供給水路と、前記フィルタ部材の下方に位置する第２の供給水路と、前記第２の供給水路の出口側につながる貯留部と、前記第１の供給水路の出口側につながり前記第２の供給水路の入口側につながる電極用水路とから構成され、前記電極ユニットが前記電極用水路に配置され、前記ポンプでは、前記貯留部から前記汚水を汲み上げることを特徴とする請求項２に記載の空気清浄装置。
【請求項４】
前記貯留部の底面を前記供給水路の中で最も低く形成したことを特徴とする請求項３に記載の空気清浄装置。
【請求項５】
前記給水用タンクからの給水が可能な状態における前記供給水路に貯留される前記水の量を満水残量、前記給水検知手段によって前記水が無いことを検知して運転が停止した状態における前記供給水路に貯留される前記水の量を渇水残量としたとき、前記排水用タンクに貯留する排水容量を、前記満水残量以下で前記渇水残量以上としたことを特徴とする請求項１から請求項４のいずれかに記載の空気清浄装置。
【請求項６】
前記排水用タンクに貯留する前記排水容量を、前記給水用タンクに貯留する給水容量の１０％以下としたことを特徴とする請求項１から請求項５のいずれかに記載の空気清浄装置。
【発明の詳細な説明】
【技術分野】
【０００１】
本発明は、細菌やウィルスなどの浮遊微生物を除去する空気清浄装置に関する。
【背景技術】
【０００２】
水道水を電気分解して電解水を生成し、この電解水を用いて空気中に浮遊するウィルス等の除去を行う空気除菌装置が既に提案されている。
【０００３】
この種の空気除菌装置では、電解水を長時間に亘り循環させると、この電解水に汚れが生じ、この汚れにより電解性能が低下し、除菌性能が低下する。
【０００４】
従って、除菌性能の低下を防止するために、定期的に電解水を排水する排水用タンクを備えた構成が考えられている（特許文献１）。
【０００５】
特許文献１は、電解槽と、電解槽によって生成された電解水が供給される気液接触部材と、電解槽によって生成された電解水を貯留すると共に気液接触部材から流下する電解水を受ける水受け皿と、水受け皿に貯留した電解水を汲み上げて再び気液接触部材に供給する循環ポンプと、気液接触部材に室内空気を送る送風ファンを筐体内に備えている。
【０００６】
そして、特許文献１では、電解水より重いスケール等の汚れは排水用タンク本体の下部に沈殿し、汚れが取り除かれた電解水が水受け皿に供給される。
【先行技術文献】
【特許文献】
【０００７】
【特許文献１】特開２０１１−３０６９７号公報
【発明の概要】
【発明が解決しようとする課題】
【０００８】
特許文献１の構成によれば、水道水に含まれるスケールを除去できるが、電解水よりも重いスケールに限られ、電解水に溶け込んでいる微小な粒子は、電解水の循環中に水受け皿などに付着し、残留するものもあり、長期使用によってこれらの蓄積が多くなってしまう。
【０００９】
そこで本発明は、トレイに残留している汚水を確実に排水用タンクに回収することができる空気清浄装置を提供することを目的とする。
【課題を解決するための手段】
【００１０】
請求項１記載の本発明の空気清浄装置は、着脱可能な給水用タンクと、前記給水用タンク内の水が供給されるフィルタ部材と、前記給水用タンク内の前記水を前記フィルタ部材に導く供給水路を形成するトレイと、前記供給水路の前記水を電気分解する電極と、前記トレイに残留するスケールを含む汚水を汲み上げるポンプと、前記ポンプで汲み上げた前記汚水を貯留する排水用タンクとを筐体内に備えた空気清浄装置であって、前記給水用タンク内の前記水の有無を検知する給水検知手段と、前記排水用タンク内の前記汚水の有無を検知する排水検知手段と、前記ポンプの動作を制御する制御手段とを備え、前記制御手段が、前記給水検知手段によって前記水が有ることを検知し、かつ前記排水検知手段によって前記汚水が無いことを検知した場合には前記ポンプを動作させ、前記排水検知手段によって前記汚水が所定量貯留されたことを検知した場合には前記ポンプを停止することを特徴とする。
【００１１】
請求項２記載の本発明は、請求項１に記載の空気清浄装置において、前記給水用タンク、前記フィルタ部材、前記トレイ、前記電極を有する電極ユニット、及び前記排水用タンクを着脱できる開閉扉を前記筐体に設け、前記開閉扉の開閉状態を検知する開閉検知手段を備え、前記開閉検知手段が前記開閉扉の閉状態を検知しない場合には、前記制御手段における前記ポンプの前記動作を行わないことを特徴とする。
【００１２】
請求項３記載の本発明は、請求項２に記載の空気清浄装置において、前記給水用タンク、前記フィルタ部材、及び前記排水用タンクを前記トレイに着脱可能に載置し、前記供給水路が、前記給水用タンクの下方に位置する第１の供給水路と、前記フィルタ部材の下方に位置する第２の供給水路と、前記第２の供給水路の出口側につながる貯留部と、前記第１の供給水路の出口側につながり前記第２の供給水路の入口側につながる電極用水路とから構成され、前記電極ユニットが前記電極用水路に配置され、前記ポンプでは、前記貯留部から前記汚水を汲み上げることを特徴とする。
【００１３】
請求項４記載の本発明は、請求項３に記載の空気清浄装置において、前記貯留部の底面を前記供給水路の中で最も低く形成したことを特徴とする。
【００１４】
請求項５記載の本発明は、請求項１から請求項４のいずれかに記載の空気清浄装置において、前記給水用タンクからの給水が可能な状態における前記供給水路に貯留される前記水の量を満水残量、前記給水検知手段によって前記水が無いことを検知して運転が停止した状態における前記供給水路に貯留される前記水の量を渇水残量としたとき、前記排水用タンクに貯留する排水容量を、前記満水残量以下で前記渇水残量以上としたことを特徴とする。
【００１５】
請求項６記載の本発明は、請求項１から請求項５のいずれかに記載の空気清浄装置において、前記排水用タンクに貯留する前記排水容量を、前記給水用タンクに貯留する前記給水容量の１０％以下としたことを特徴とする。
【発明の効果】
【００１６】
本発明によれば、給水用タンク及び排水用タンクを装着したタイミングで汚水を汲み上げ、汚水の汲み上げ時には新しい水が供給されるため、トレイに残留している汚水を確実に排水用タンクに回収することができる。
【図面の簡単な説明】
【００１７】
【図１】本発明の一実施例の空気清浄装置の外観斜視図
【図２】同空気清浄装置の開閉扉を開いた状態を示す外観斜視図
【図３】図２の状態から給水用タンクと排水用タンクとを取り外した状態を示し、電極ユニットが第１の動作状態であることを示す外観斜視図
【図４】図２の状態から給水用タンクと排水用タンクとを取り外した状態を示し、電極ユニットが第２の動作状態であることを示す外観斜視図
【図５】図４の状態からトレイを取り外した状態を示し、電極ユニットが第２の動作状態であることを示す外観斜視図
【図６】図４の状態から給水用タンクと排水用タンクとを取り外した状態を示し、電極ユニットが第１の動作状態であることを示す外観斜視図
【図７】本実施例に用いる、給水用タンク、フィルタ部材、及び排水用タンクをトレイに載置した状態を示す斜視図
【図８】同トレイの上面図
【図９】給水用タンクの斜視図
【図１０】仕切り板の正面図
【図１１】本実施例に用いるトレイの上面側斜視図
【図１２】同トレイの裏面側斜視図
【図１３】同トレイの正面図
【図１４】本実施例による空気清浄装置の電極ユニットを示す要部斜視図
【図１５】本実施例による空気清浄装置の側断面図
【図１６】同空気清浄装置の側断面斜視図
【図１７】本実施例による空気清浄装置の制御ブロック図
【図１８】同空気清浄装置のフローチャート
【図１９】給水回数によるトレイ残水硬度の変化を示すグラフ
【発明を実施するための形態】
【００１８】
本発明の第１の実施の形態による空気清浄装置は、給水用タンク内の水の有無を検知する給水検知手段と、排水用タンク内の汚水の有無を検知する排水検知手段と、ポンプの動作を制御する制御手段とを備え、制御手段が、給水検知手段によって水が有ることを検知し、かつ排水検知手段によって汚水が無いことを検知した場合にはポンプを動作させ、排水検知手段によって汚水が所定量貯留されたことを検知した場合にはポンプを停止するものである。本実施の形態によれば、給水用タンク及び排水用タンクを装着したタイミングで汚水を汲み上げ、汚水の汲み上げ時には新しい水が供給されるため、トレイに残留している汚水を確実に排水用タンクに回収することができる。
【００１９】
本発明の第２の実施の形態は、第１の実施の形態による空気清浄装置において、給水用タンク、フィルタ部材、トレイ、電極を有する電極ユニット、及び排水用タンクを着脱できる開閉扉を筐体に設け、開閉扉の開閉状態を検知する開閉検知手段を備え、開閉検知手段が開閉扉の閉状態を検知しない場合には、制御手段におけるポンプの動作を行わないものである。本実施の形態によれば、特に給水用タンク、トレイ、及び排水用タンクを確実に装着した後でなければポンプ動作を行わないため、装着準備中にポンプ動作が開始することはない。
【００２０】
本発明の第３の実施の形態は、第２の実施の形態による空気清浄装置において、給水用タンク、フィルタ部材、及び排水用タンクをトレイに着脱可能に載置し、供給水路が、給水用タンクの下方に位置する第１の供給水路と、フィルタ部材の下方に位置する第２の供給水路と、第２の供給水路の出口側につながる貯留部と、第１の供給水路の出口側につながり第２の供給水路の入口側につながる電極用水路とから構成され、電極ユニットが電極用水路に配置され、ポンプでは、貯留部から汚水を汲み上げるものである。本実施の形態によれば、給水は、第１の供給水路、電極用水路、及び第２の供給水路を順次通過した後に貯留部に導かれるため、汚水は新鮮な水に押されながら貯留部に移動し、トレイに残留している汚水を確実に排水用タンクに回収することができる。
【００２１】
本発明の第４の実施の形態は、第３の実施の形態による空気清浄装置において、貯留部の底面を供給水路の中で最も低く形成したものである。本実施の形態によれば、スケールなどの比重の大きな成分を貯留部に溜めやすくすることで、トレイへの残留を少なくして排水用タンクでの確実な回収を行うことができる。
【００２２】
本発明の第５の実施の形態は、第１から第４の実施の形態による空気清浄装置において、給水用タンクからの給水が可能な状態における供給水路に貯留される水の量を満水残量、給水検知手段によって水が無いことを検知して運転が停止した状態における供給水路に貯留される水の量を渇水残量としたとき、排水用タンクに貯留する排水容量を、満水残量以下で渇水残量以上としたものである。本実施の形態によれば、少ない水量で確実な汚水回収を行うことができ、使用による蓄積を防止することができる。
【００２３】
本発明の第６の実施の形態は、第１から第５の実施の形態による空気清浄装置において、排水用タンクに貯留する排水容量を、給水用タンクに貯留する給水容量の１０％以下としたものである。本実施の形態によれば、水道水の１０倍程度の硬度まで許容でき、通常の水道水の硬度であれば給水の繰り返しによるスケールの累積的な蓄積無しに汚水回収を行える。
【実施例】
【００２４】
以下に、本発明の一実施例による空気清浄装置について説明する。
【００２５】
図１は本実施例の空気清浄装置の外観斜視図、図２は同空気清浄装置の開閉扉を開いた状態を示す外観斜視図、図３は図２の状態から給水用タンクと排水用タンクとを取り外した状態を示し、電極ユニットが第１の動作状態であることを示す外観斜視図、図４は図２の状態から給水用タンクと排水用タンクとを取り外した状態を示し、電極ユニットが第２の動作状態であることを示す外観斜視図、図５は図４の状態からトレイを取り外した状態を示し、電極ユニットが第２の動作状態であることを示す外観斜視図、図６は図４の状態から給水用タンクと排水用タンクとを取り外した状態を示し、電極ユニットが第１の動作状態であることを示す外観斜視図である。
【００２６】
図１に示すように、本実施例による空気清浄装置は、筐体１０の前面には開閉扉１１を、両側面には吸入口１２を、天面には吹出口１３を有する。筐体１０には、開閉扉１１の開閉状態を検知する開閉検知手段９１を備えている。
【００２７】
図２に示すように、開閉扉１１を開くと、筐体１０内には給水用タンク２０と排水用タンク３０とがトレイ４０に着脱可能に載置されている。給水用タンク２０と排水用タンク３０とは、開閉扉１１に対向する位置に並設されている。
【００２８】
給水用タンク２０と排水用タンク３０とは、トレイ４０を引き出すことなく開閉扉１１を開いた状態でトレイ４０から取り外すことができる。
【００２９】
図３は、給水用タンク２０と排水用タンク３０とをトレイ４０から取り外した状態を示している。
【００３０】
図３に示す状態では、電極ユニット５０は第１の動作状態にある。第１の動作状態では、電極ユニット５０は、筐体１０の底面１４に近接した位置で保持され、トレイ４０内の水中に配置されている。電極ユニット５０が第１の動作状態にある場合にはトレイ４０を筐体１０から引き出すことはできない。
【００３１】
図４に示す状態では、電極ユニット５０は第２の動作状態にある。第２の動作状態では、電極ユニット５０は、筐体の底面１４から離間した位置で保持され、トレイ４０から更に上方に引き上げられている。電極ユニット５０の引き上げは、図３及び図４に示すレバー５１によって使用者が操作する。
【００３２】
図４に示すように、電極ユニット５０を第２の動作状態としたときには、電極ユニット５０は、仕切り板４１に当接しないため、図５に示すようにトレイ４０を筐体１０内から取り出すことができる。
【００３３】
図６では、トレイ４０を取り出した状態で、レバー５１の操作により、電極ユニット５０を再び第１の動作状態に移動させている。
【００３４】
給水用タンク２０への給水と排水用タンク３０からの排水作業、更にはトレイ４０の清掃作業は、図１から図５に示す順番で、給水用タンク２０、排水用タンク３０、トレイ４０を取り外し、給水、排水、清掃後に、図５から図１に示す順番で装着を行うことで完了する。
【００３５】
本実施例によれば、トレイ４０の装着後には第１の動作状態とすることで供給水路４２内に電極を位置させて電解水を生成させ、トレイ４０の着脱動作時には第２の動作状態とすることで、トレイ４０の着脱動作をスムーズに行うことができる。
【００３６】
図２から図６に示すように、開閉扉１１の内面にはボトル１５が着脱可能に取り付けられている。ボトル１５には、タブレット状の食塩が入っており、給水用タンク２０及び排水用タンク３０の装着時に、トレイ４０中に必要量の食塩を投入することで水の塩素濃度を高める。
【００３７】
図５及び図６に示すように、筐体１０の底面１４には、底上げ部１９が形成され、底上げ部１９の上面には凹状ガイダー１６を形成している。また、筐体１０の底面１４には、ポンプ駆動部１７を設けている。
【００３８】
図７は、本実施例に用いる、給水用タンク、フィルタ部材、及び排水用タンクをトレイに載置した状態を示す斜視図、図８は同トレイの上面図、図９は給水用タンクの斜視図、図１０は仕切り板の正面図である。
【００３９】
図７及び図８に示すように、トレイ４０には、給水用タンク２０、フィルタ部材６０、及び排水用タンク３０が載置されている。またトレイ４０には仕切り板４１が設けられている。フィルタ部材６０及び仕切り板４１はトレイ４０に対し着脱可能に設けられている。
【００４０】
トレイ４０の上面は、仕切り板４１によって第１の領域と第２の領域に仕切られている。第１の領域には、給水用タンク２０と排水用タンク３０が配置され、第２の領域には、フィルタ部材６０が配置されている。電極ユニット５０は第１の領域に配置している。
【００４１】
本実施例によれば、電極ユニット５０を風路８０と仕切られた第１の領域に配置することで、電気分解時に発生する酸化ガスが風路８０に流れ込み、送風機８２などに用いられている材料を劣化させることを防止することができる。
【００４２】
排水用タンク３０には、上部に取っ手３１が形成され、上面は開閉蓋３２となっている。この開閉蓋３２には接続口３３が設けられている。
【００４３】
トレイ４０には、給水用タンク２０内の水の有無を検知する給水検知手段９２が設けられている。また、排水用タンク３０内には、排水用タンク３０内の汚水の有無を検知する排水検知手段９３が設けられている。
【００４４】
図８に示すように、フィルタ部材６０は、吸水性繊維素材を円筒状部材外周面に設け、駆動機構６１によって回転する。フィルタ部材６０は、通過する空気を電解水に接触させて空気を除菌する気液接触機能を果たす。
【００４５】
図９に示すように、給水用タンク２０は、上部及び一方の側部に取っ手２１が形成され、下部に蓋２２を有する。この蓋２２を取り外して水道水を注入する。蓋２２には押圧によって開となるピンを備え、トレイ４０上に載置されると、ピンが押されて内部の水が滴下される。
【００４６】
図１０に示すように、仕切り板４１には、トレイ４０に残留するスケールを含む汚水を汲み上げるポンプ７０と、このポンプ７０で汲み上げた汚水を排水用タンク３０に導くホース７１を設けている。
【００４７】
ポンプ７０は、図５及び図６で示すポンプ駆動部１７によって動作する。ポンプ駆動部１７は磁気結合によってポンプ７０を駆動する。
【００４８】
ポンプ７０で汲み上げた汚水は、ホース７１から接続口３３を通り排水用タンク３０内に導かれる。
【００４９】
排水用タンク３０内には、例えばフロートスイッチからなる排水検知手段が設けられ、所定の汚水量になるとポンプ駆動部１７の動作を停止する。
【００５０】
図１１は本実施例に用いるトレイの上面側斜視図、図１２は同トレイの裏面側斜視図、図１３は同トレイの正面図である。
【００５１】
供給水路４２は、給水用タンク２０の下方に位置する第１の供給水路４２ａと、フィルタ部材６０の下方に位置する第２の供給水路４２ｂと、第２の供給水路４２ｂの出口側につながる貯留部４２ｃと、第１の供給水路４２ａの出口側につながり第２の供給水路４２ｂの入口側につながる電極用水路４２ｄとから構成されている。電極ユニット５０は電極用水路４２ｄに配置される。ポンプ７０は、貯留部４２ｃから汚水を汲み上げる。
【００５２】
給水は、第１の供給水路４２ａ、電極用水路４２ｄ、及び第２の供給水路４２ｂを順次通過した後に貯留部４２ｃに導かれるため、汚水は新鮮な水に押されながら貯留部４２ｃに移動し、トレイ４０の供給水路４２に残留している汚水を確実に排水用タンク３０に回収することができる。
【００５３】
貯留部４２ｃの底面は、供給水路４２の中で最も低く形成している。貯留部４２ｃの底面を低くすることで、スケールなどの比重の大きな成分を貯留部４２ｃに溜めやすくし、トレイ４０の供給水路４２への残留を少なくして排水用タンク３０での確実な回収を行うことができる。
【００５４】
トレイ４０の裏面には凸状レール部材４３を形成している。この凸状レール部材４３は、図５及び図６で示す筐体１０の底面１４の凹状ガイダー１６に摺動可能に保持され、電極ユニット５０が第２の動作状態では、凸状レール部材４３を凹状ガイダー１６に対して摺動させることでトレイ４０の脱着を行える。
【００５５】
本実施例によれば、凸状レール部材４３と凹状ガイダー１６とでトレイ４０をスライドさせて着脱できるとともに、供給水路４２内に電極を位置させた状態ではトレイ４０の着脱を防止することができる。
【００５６】
また、本実施例によれば、底上げ部１９の高さだけ凸状レール部材４３の突出量を少なくすることができ、凸状レール部材４３の破損を防止することができる。
【００５７】
図１４は本実施例による空気清浄装置の電極ユニットを示す要部斜視図である。
【００５８】
電極ユニット５０は、筐体１０の底面１４に対して近接離間可能に設けてあり、近接離間動作はレバー５１によって行うことができる。図１４では、電極ユニット５０が、筐体１０の底面１４に近接した位置で保持される第１の動作状態を示している。
【００５９】
電極ユニット５０は、内部に電極を有し、これら電極間に電圧を印加することにより、水を電解して電解水を生成する。塩化物イオンを含む水が電解されることで、次亜塩素酸を含む電解水が生成される。次亜塩素酸は活性酸素種に含まれ、強力な酸化作用や漂白作用を有する。次亜塩素酸が溶解した水溶液、すなわち生成される電解水は、ウィルス等の不活化、殺菌、有機化合物の分解等、種々の空気清浄効果を発揮する。
【００６０】
筐体１０の底面１４には、電極ユニット５０から滴下する水を受ける電極用トレイ４４を設けている。電極用トレイ４４は底面１４の凹部に配置され、トレイ４０の装着時には、電極用トレイ４４はトレイ４０で覆われる。電極ユニット５０の下方に電極用トレイ４４を設けることで、トレイ４０を取り外した状態で、電極ユニット５０から滴下する水で筐体１０の底面１４を濡らすことがなく、トレイ４０を装着した状態ではトレイ４０によって覆われ、トレイ４０の装着時には電極用トレイ４４を取り外す必要が無いため、使用者の作業負担を軽減できる。
【００６１】
図１４を用いて電極ユニット５０の取り外し動作について説明する。
【００６２】
図１４（ａ）は、電極ユニット５０を引き下ろした状態であり、電極ユニット５０の上部は蓋体５２で覆われている。蓋体５２を取り外した状態を図１４（ｂ）に示す。電極ユニット５０は、一対の係合爪５３によって保持枠５４に着脱される。電極ユニット５０にはユニット側コネクター５５ａが、保持枠５４には本体側コネクター５５ｂが設けられている。ユニット側コネクター５５ａ及び本体側コネクター５５ｂにはそれぞれ配線コードが接続されているが、配線コードについては図示を省略する。蓋体５２は、電極ユニット５０の動作時に、この配線コードが絡まないために設けている。
【００６３】
ユニット側コネクター５５ａと本体側コネクター５５ｂとを外した後に、図１４（ｃ）に示すように、一対の係合爪５３を保持枠５４から取り外して、電極ユニット５０の交換を行う。
【００６４】
新たな電極ユニット５０の装着は、図１４（ｃ）、（ｂ）、（ａ）の順で行う。
【００６５】
本実施例によれば、給水用タンク２０、フィルタ部材６０、及び排水用タンク３０をトレイ４０に着脱可能に載置し、第２の動作状態で、給水用タンク２０、フィルタ部材６０、排水用タンク３０、及びトレイ４０を取り外し、給水用タンク２０、フィルタ部材６０、排水用タンク３０、及びトレイ４０を取り外した後に、第１の動作状態として、電極ユニット５０の着脱を行えるものである。また、頻繁に行う必要がある、給水、排水、及びフィルタ部材６０やトレイ４０の掃除を容易に行えるとともに、電極ユニット５０の着脱も使用者が容易に行うことができる。
【００６６】
図１５は本実施例による空気清浄装置の側断面図、図１６は同空気清浄装置の側断面斜視図である。
【００６７】
筐体１０の両側面に設けた吸入口１２から筐体１０内に吸入された空気は、筐体１０の後面１８側から下方に引っ張られ、フィルタ部材６０と風路板８１の下端との隙間を通過し、風路板８１によって形成された風路８０内を上昇する。風路８０に空気流れを生じさせる送風機８２が筐体１０内の上方に配置され、送風機８２によって空気は吹出口１３から吹きだされる。
【００６８】
図１７は本実施例による空気清浄装置の制御ブロック図、図１８は同空気清浄装置のフローチャートである。
【００６９】
本実施例の空気清浄装置は、開閉扉１１の開閉状態を検知する開閉検知手段９１と、給水用タンク２０内の水の有無を検知する給水検知手段９２と、排水用タンク３０内の汚水の有無を検知する排水検知手段９３と、ポンプ７０の動作を制御する制御手段９４とを備えている。
【００７０】
制御手段９４では、ステップ１において、開閉検知手段９１が開閉扉１１の閉状態を検知しない場合には、ポンプ７０の動作を行わない。
【００７１】
ステップ１において、開閉検知手段９１が開閉扉１１の閉状態を検知すると、給水検知手段９２によって、給水用タンク２０が装着され（ステップ２）、水が有ることを検知し（ステップ３）、かつ排水検知手段９３によって、排水用タンク３０が装着され（ステップ４）、排水用タンク３０内に汚水が無い（所定量以下である）ことを検知した場合（ステップ５）にはポンプ７０を動作させる（ステップ６）。
【００７２】
制御手段９４では、開閉検知手段９１による開閉扉１１の開状態の検知（ステップ１）、給水検知手段９２による給水用タンク２０の無いことの検知（ステップ２）、水が無いことの検知（ステップ３）、排水検知手段９３による排水用タンク３０の無いことの検知（ステップ４）、又は排水用タンク３０内の汚水満水（所定量を越える）の検知（ステップ５）のいずれかが行われると、ポンプ７０停止を維持して動作させない（ステップ７）。
【００７３】
またステップ６で制御手段９４がポンプ７０を動作させた後には、開閉検知手段９１による開閉扉１１の開状態の検知（ステップ１）、給水検知手段９２による給水用タンク２０の取り外しの検知（ステップ２）、水が無いことの検知（ステップ３）、排水検知手段９３による排水用タンク３０の取り外しの検知（ステップ４）、又は排水用タンク３０内の汚水満水（所定量を越える）の検知（ステップ５）が行われると、ポンプ７０を停止させる（ステップ７）。
【００７４】
なお、本実施例では、開閉扉１１の開閉状態を検知する開閉検知手段９１を備えた場合で説明したが、開閉検知手段９１を備えていなくてもよい。
【００７５】
図１９は給水回数によるトレイ残水硬度の変化を示すグラフである。
【００７６】
黒菱形（◆）は、本実施例による排水処理を行ったデータであり、白菱形（◇）は比較例として排水処理を行わないデータである。
【００７７】
本実施例は、給水用タンク２０の給水容量を８リットル、排水用タンク３０の排水容量を０．８リットル、トレイ４０の満水容量を１．１リットル、使用する水道水の硬度を６０ｍｇ／リットルとした。
【００７８】
給水用タンク２０内のスケール成分は全てトレイ４０に蓄積され、排水用タンク３０の排水容量分だけ排出される。
【００７９】
従って、最終到達する排水直前硬度は、給水用タンク２０の満水容量と、排水用タンク３０の排水容量の割合で決定される。
【００８０】
具体的には、最終到達硬度は、（給水用タンク２０の満水容量／排水用タンク３０の排水容量）×初期硬度となる。
【００８１】
一方、給水・排水後の硬度は、排水直前硬度と、トレイ４０の満水容量と、排水用タンク３０の排水容量との割合で決定される。
【００８２】
本実施例の空気清浄装置では、給水用タンク２０からの給水が可能な状態における供給水路４２に貯留される水の量を満水残量、給水検知手段９２によって水が無いことを検知して運転が停止した状態における供給水路４２に貯留される水の量を渇水残量としたとき、排水用タンク３０に貯留する排水容量を、満水残量以下で渇水残量以上とすることが好ましい。本実施例によれば、少ない水量で確実な汚水回収を行うことができ、使用による蓄積を防止することができる。
【００８３】
また本実施例の空気清浄装置では、排水用タンク３０に貯留する排水容量を、給水用タンク２０に貯留する給水容量の１０％以下とすることが好ましい。本実施例によれば、水道水の１０倍程度の硬度まで許容でき、通常の水道水の硬度であれば給水の繰り返しによるスケールの累積的な蓄積無しに汚水回収を行える。
【００８４】
以上のように本実施例による空気清浄装置によれば、給水用タンク２０及び排水用タンク３０を装着したタイミングで汚水を汲み上げ、汚水の汲み上げ時には新しい水が供給されるため、トレイ４０に残留している汚水を確実に排水用タンク３０に回収することができる。
【００８５】
また本実施例による空気清浄装置によれば、特に給水用タンク２０、トレイ４０、及び排水用タンク３０を確実に装着した後でなければポンプ７０が動作を行わないため、装着準備中にポンプ７０が動作を開始することはない。
【産業上の利用可能性】
【００８６】
本発明は、空間に浮遊する微生物を除去する空気清浄装置であるが、浮遊微生物除去機能を有する加湿器としても適している。
【符号の説明】
【００８７】
１０    筐体
１１    開閉扉
１２    吸入口
１３    吹出口
１４    底面
１５    ボトル
１６    凹状ガイダー
１７    ポンプ駆動部
１８    後面
１９    底上げ部
２０    給水用タンク
２１    取っ手
２２    蓋
３０    排水用タンク
３１    取っ手
３２    開閉蓋
３３    接続口
４０    トレイ
４１    仕切り板
４２    供給水路
４２ａ  第１の供給水路
４２ｂ  第２の供給水路
４２ｃ  貯留部
４２ｄ  電極用水路
４３    凸状レール部材
４４    電極用トレイ
５０    電極ユニット
５１    レバー
５２    蓋体
５３    係合爪
５４    保持枠
５５ａ  ユニット側コネクター
５５ｂ  本体側コネクター
６０    フィルタ部材
６１    駆動機構
７０    ポンプ
７１    ホース
８０    風路
８１    風路板
８２    送風機
９１    開閉検知手段
９２    給水検知手段
９３    排水検知手段
９４    制御手段
【図１】
2014039778.tif 000003
【図２】
2014039778.tif 000004
【図３】
2014039778.tif 000005
【図４】
2014039778.tif 000006
【図５】
2014039778.tif 000007
【図６】
2014039778.tif 000008
【図７】
2014039778.tif 000009
【図８】
2014039778.tif 000010
【図９】
2014039778.tif 000011
【図１０】
2014039778.tif 000012
【図１１】
2014039778.tif 000013
【図１２】
2014039778.tif 000014
【図１３】
2014039778.tif 000015
【図１４】
2014039778.tif 000016
【図１５】
2014039778.tif 000017
【図１６】
2014039778.tif 000018
【図１７】
2014039778.tif 000019
【図１８】
2014039778.tif 000020
【図１９】
2014039778.tif 000021